(57)【特許請求の範囲】
【請求項１】
上縁フランジ部の下方にリブ部が形成された内鍋と、前記内鍋を収容する開口部を有する炊飯器本体と、前記炊飯器本体の開口部を覆蓋する蓋体とを備えた炊飯器であって、
前記炊飯器本体の上部は、前記開口部の上縁全周を形成する金属製の後方つゆ受け枠と、前記後方つゆ受け枠の前方に配置される樹脂製の前方つゆ受け枠とから構成され、
前記後方つゆ受け枠の前端部は、前後方向で前記前方つゆ受け枠の後端部と重なるように、前記前方つゆ受け枠の下方に張り出しており、
前記前方つゆ受け枠の後端部には、切り欠き部が形成され、
前記後方つゆ受け枠の前端部の上面には、前記前方つゆ受け枠の切り欠き部から上方に突出する係合体が設けられており、
前記係合体は、前記内鍋が前記開口部に収容されたとき、前記内鍋が回り止め状態となるように、前記内鍋のリブ部と係合する炊飯器。
【請求項２】
請求項１に記載の炊飯器であって、
前記後方つゆ受け枠の前端部の外周は、所定縦幅の周縁部を有し、
前記周縁部は、前記係合体を位置決め状態で固定する段差部を有しており、
前記係合体は、前方に幅広の固定部と、後方に幅狭の後端部とを有し、
前記係合体は、前記固定部で、前記後方つゆ受け枠の前端部と結合部材により固定され、
前記固定部は、前記段差部と略同幅を有するとともに、前後方向で前記段差部と係合する突設部を有し、
前記後端部は、前記リブ部と係合する炊飯器。
【請求項３】
請求項１または２に記載の炊飯器であって、
前記係合体は、前記内鍋が前記開口部に収容されたとき、前記係合体の固定部が、前記リブ部の外方張り出し位置よりも前方に位置するように、前記後方つゆ受け枠の前端部に設けられ、
前記リブ部の縁辺部及び前記係合体の後端部の上面縁辺部は、Ｒ面を有する炊飯器。
【請求項４】
請求項１〜３のいずれか１項に記載の炊飯器であって、
前記後方つゆ受け枠は、金属製のつゆ受け枠本体と、前記つゆ受け枠本体を被覆する金属製のつゆ受け枠カバーとからなり、
前記係合体は、前記つゆ受け枠本体の前端部の上面に設けられている炊飯器。
【発明の詳細な説明】
【技術分野】
【０００１】
本発明は、炊飯器に関する。
【背景技術】
【０００２】
従来、炊飯器本体に収容される内鍋を回り止め状態とするために、内鍋の上縁フランジ部に突起を設けるとともに、炊飯器本体の上部に突起が係合する係合体を設けた炊飯器が知られている（例えば、特許文献１〜６）。
【０００３】
一方、この種の炊飯器では、炊飯器本体の上部に、炊飯後に蓋体を開けたときに落ちるつゆを受けるために、つゆ受け枠が設けられているが、強度確保等の観点から、金属製のつゆ受け枠を用いたものが商品化されている。それゆえ、内鍋を収容する開口部の上縁を形成する金属製のつゆ受け枠上に内鍋を載置した場合、つゆ受け枠と接する内鍋の上縁フランジ部からの伝熱により、つゆ受け枠が熱くなる。
【０００４】
このため、つゆ受け枠を、内鍋を収容する開口部が形成された後方つゆ受け枠と、前方つゆ受け枠とに分割し、後方つゆ受け枠のみを金属製のもので構成し、前方つゆ受け枠を伝熱性に劣る樹脂製のもので構成することが考えられる。このような分割されたつゆ受け枠に係合体を形成する場合、製品の小型化に伴い、つゆ受け枠の左右は幅が狭く、スペース上、成形が困難であり、また後方は蓋体を開閉するためのヒンジ部が形成されることから、樹脂製の前方つゆ受け枠に係合体を形成する必要がある。
【先行技術文献】
【特許文献】
【０００５】
【特許文献１】特開平８−２１５０３５号公報
【特許文献２】特開平９−３７９３５号公報
【特許文献３】実開昭５６−１６９８１１号公報
【特許文献４】実開昭５３−３８５６０号公報
【特許文献５】実開昭５３−３８５６２号公報
【特許文献６】実開昭５３−３８５６４号公報
【発明の概要】
【発明が解決しようとする課題】
【０００６】
しかしながら、一般に、内鍋は金属やセラミックからなるため、上記のような樹脂製の前方つゆ受け枠に係合体を設けた場合、高硬度の突起が強度の弱い樹脂製の前方つゆ受け枠を傷つけるという問題がある。
【０００７】
本発明は上記課題を解決するためになされたものであり、本発明の目的は、炊飯器本体の上部に配設されるつゆ受け枠を、金属製の後方つゆ受け枠と、樹脂製の前方つゆ受け枠とに分割して構成した場合であっても、樹脂製の前方つゆ受け枠を損傷することなく、確実に内鍋を回り止め状態とすることが可能な炊飯器を提供することにある。
【課題を解決するための手段】
【０００８】
本発明によれば、上縁フランジ部の下方にリブ部が形成された内鍋と、前記内鍋を収容する開口部を有する炊飯器本体と、前記炊飯器本体の開口部を覆蓋する蓋体とを備えた炊飯器であって、
前記炊飯器本体の上部は、前記開口部の上縁全周を形成する金属製の後方つゆ受け枠と、前記後方つゆ受け枠の前方に配置される樹脂製の前方つゆ受け枠とから構成され、
前記後方つゆ受け枠の前端部は、前後方向で前記前方つゆ受け枠の後端部と重なるように、前記前方つゆ受け枠の下方に張り出しており、
前記前方つゆ受け枠の後端部には、切り欠き部が形成され、
前記後方つゆ受け枠の前端部の上面には、前記前方つゆ受け枠の切り欠き部から上方に突出する係合体が設けられており、
前記係合体は、前記内鍋が前記開口部に収容されたとき、前記内鍋が回り止め状態となるように、前記内鍋のリブ部と係合する炊飯器が提供される。
【０００９】
上記炊飯器によれば、炊飯器本体の上部前方が樹脂製の前方つゆ受け枠で形成されているが、後方つゆ受け枠の前端部が前方つゆ受け枠の後端部と重なるように、前方つゆ受け枠の下方に張り出しているから、これらのつゆ受け枠が炊飯器本体の上部に配設されると、前方つゆ受け枠の後端部が後方つゆ受け枠の前端部を覆った態様となり、前方つゆ受け枠の後端部の下方に後方つゆ受け枠の前端部が配置される。
【００１０】
また、前方つゆ受け枠の後端部には、切り欠き部を形成しているから、後方つゆ受け枠の前端部の上面に、金属などからなる高硬度の係合体を設けると、切り欠き部を下方から貫通して上方に突出する態様で係合体を配置することができる。そして、上記係合体が設けられる後方つゆ受け枠は、内鍋のリブ部が係合体に衝突してもぐらつかない状態で炊飯器本体に固定されているから、樹脂製の前方つゆ受け枠と内鍋との接触を防ぎながら、リブ部と係合体とを係合させて、前方つゆ受け枠を損傷させることなく、内鍋を回り止め状態とすることができる。
【００１１】
上記炊飯器において、好ましくは、
前記後方つゆ受け枠の前端部の外周は、所定縦幅の周縁部を有し、
前記周縁部は、前記係合体を位置決め状態で固定する段差部を有しており、
前記係合体は、前方に幅広の固定部と、後方に幅狭の後端部とを有し、
前記係合体は、前記固定部で、前記後方つゆ受け枠の前端部と結合部材により固定され、
前記固定部は、前記段差部と略同幅を有するとともに、前後方向で前記段差部と係合する突設部を有し、
前記後端部は、前記リブ部と係合する。
【００１２】
上記炊飯器によれば、係合体が所定縦幅の周縁部を有する高強度の後方つゆ受け枠に設けられているから、内鍋の回転方向に大きな衝撃が係合体に加わっても、後方つゆ受け枠を変形させることなく、内鍋を確実に回り止め状態とすることができる。また、後方つゆ受け枠の前端部の周縁部は、係合体を位置決め状態で固定するための段差部を有しており、該段差部と係合体の固定部とは略同幅に形成されているから、内鍋の回転方向に大きな衝撃が係合体に加わっても、係合体の側面が段差部の側壁に係合する。これにより、後方つゆ受け枠の損傷を招くことなく、内鍋をより確実に回り止め状態とすることができる。さらに、係合体の固定部は、前後方向で段差部と係合する突設部を有するから、係合体を後方つゆ受け枠に螺子等の結合部材により固定する際、前後方向で位置決め状態とすることができる。しかも、後方つゆ受け枠は、上記のように係合体を位置決め状態で固定するための段差部を有するから、仮に結合部材が緩んだり外れたりした場合でも、係合体が仮固定状態で後方つゆ受け枠の前端部の上面に固定され、係合体と樹脂製の前方つゆ受け枠との接触を抑えることができる。そして、上記係合体は、幅狭の後端部で内鍋のリブ部と係合するから、幅広の固定部に内鍋のリブ部が乗り上がった状態となり難く、内鍋が不安定な状態となることを防止できる。
【００１３】
上記炊飯器において、好ましくは、
前記係合体は、前記内鍋が前記開口部に収容されたとき、前記係合体の固定部が、前記リブ部の外方張り出し位置よりも前方に位置するように、前記後方つゆ受け枠の前端部に設けられ、
前記リブ部の縁辺部及び前記係合体の後端部の上面縁辺部は、Ｒ面を有する。
【００１４】
上記炊飯器によれば、係合体の固定部が、内鍋のリブ部よりも前方に位置するから、内鍋を開口部に収容するとき、固定部にリブ部が乗り上がった状態となり難い。また、リブ部の縁辺部及び係合体の後端部の上面縁辺部は、Ｒ面を有するから、内鍋を開口部に収容するとき、リブ部が後端部に乗り上がり難く、より内鍋が不安定な状態となることを防止できる。
【００１５】
上記炊飯器において、
前記後方つゆ受け枠が、金属製のつゆ受け枠本体と、前記つゆ受け枠本体を被覆する金属製のつゆ受け枠カバーとを有する場合、
前記係合体は、前記つゆ受け枠本体の前端部の上面に設けられてもよい。
【００１６】
清掃性やデザイン性向上のために、金属製のつゆ受け枠本体を薄い金属製のつゆ受け枠カバーで被覆した後方つゆ受け枠を用いる場合、高硬度の内鍋と係合体とが衝突すると、つゆ受け枠カバーが変形する虞がある。しかしながら、上記炊飯器によれば、つゆ受け枠本体に係合体が設けられているから、内鍋の回転方向に大きな衝撃が係合体に加わっても、つゆ受け枠カバーを変形させることなく、内鍋を確実に回り止め状態とすることができる。
【発明の効果】
【００１７】
以上説明したように、本発明によれば、炊飯器本体の上部に、金属製の後方つゆ受け枠と、樹脂製の前方つゆ受け枠とを有する炊飯器において、前方つゆ受け枠の損傷を防ぎながら、確実に内鍋を回り止め状態とすることができる。
【図面の簡単な説明】
【００１８】
【図１】図１は、本発明の実施の形態に係る炊飯器の一例を示す斜視図である。
【図２】図２は、本発明の実施の形態に係る炊飯器に用いられる後方つゆ受け枠の一例を示す分解斜視図である。
【図３】図３は、図２の部分拡大図である。
【図４】図４は、本発明の実施の形態に係る炊飯器に用いられる前方つゆ受け枠の一例を示す斜視図である。
【図５】図５は、本発明の実施の形態に係る炊飯器に用いられる後方つゆ受け枠と前方つゆ受け枠とを接合した状態を示す一部透視図である。
【図６】図６は、図１の部分断面図である。
【発明を実施するための形態】
【００１９】
以下、図面を参照しながら、本実施の形態の炊飯器について具体的に説明する。
【００２０】
図１は、本実施の形態に係る炊飯器の一例を示す概略斜視図、図２は、後方つゆ受け枠の一例を示す分解斜視図、図３は、図２の部分拡大図、図４は、前方つゆ受け枠の一例を示す斜視図、図５は、後方つゆ受け枠と前方つゆ受け枠とを接合した状態を示す一部透視図、図６は、図１の部分断面図である。
【００２１】
図１に示すように、本実施の形態の炊飯器は、内鍋９を収容する開口部８が形成された炊飯器本体１と、炊飯器本体１の開口部８を覆蓋する蓋体２とを備えている。この炊飯器本体１では、上方に開放する略直方体状の本体ケース内に有底筒状の内胴７が内挿固定されている。なお、本明細書では、便宜上、炊飯器本体１と蓋体２とが固定されたヒンジ部側を後方、蓋体２の回動側を前方といい、ヒンジ部側と回動側とを結ぶ方向を前後方向、これに直行する方向を左右方向という。
【００２２】
蓋体２は、炊飯器本体１の後端部に貫設されたヒンジ部（図示せず）を回動支点として上下に回動し得るように構成されているとともに、回動側の先端部には、炊飯器本体１の前方に設けられた被係止部１２と係合する係止突起（図示せず）が設けられている。また、蓋体２の上面には、各種の炊飯メニューを操作する操作スイッチ部２１が設けられている。
【００２３】
炊飯器本体１の本体ケースの前方側面には、蓋体２の係止状態を解除するためのボタン部１１が設けられており、ボタン部１１が押込まれると、蓋体２の係止部と被係止部１２との係止状態が解除され、ヒンジ部に設けられたスプリングにより蓋体２が上方に回動し、蓋体２の開放状態が維持される。
【００２４】
内鍋９は、アルミニウム材料を主体とする上面を開口した有底筒状に形成されており、略回転体形状になっている。この内鍋９は、被炊飯物である米及び水が内部に収容されるとともに、炊飯器本体１の開口部８内に着脱自在に、且つ同軸的に収容されるものである。また、内鍋９の上部には、外方に広がる上縁フランジ部９１が形成されている。この上縁フランジ部９１は、開口部８の上縁全周を構成する後方つゆ受け枠４上に載置される。さらに、上縁フランジ部９１の下方には、周方向で一定間隔、離間して、後述する後方つゆ受け枠４の前端部４ａ（４１ａ，４２ａ）に設けられる係合体Ｓと係合して、内鍋９を回り止め状態とするための複数のリブ部９２が一体に成形されている。このリブ部９２は、内鍋９を開口部８内に収容した状態で、係合体Ｓの後端部Ｓｂ（図６参照）と、内鍋９の回転軸を中心とする同一円周上に位置する。また、図示しないが、リブ部９２の縁辺部は、Ｒ面に形成されている。
【００２５】
本実施の形態において、炊飯器本体１の上部は、開口部８の上縁全周を形成する後方つゆ受け枠４と、後方つゆ受け枠４の前方に配置される前方つゆ受け枠５とから構成されている。
【００２６】
図２に示すように、後方つゆ受け枠４は、炊飯器本体１の内部に配設されるつゆ受け枠本体４１と、これを被覆するつゆ受け枠カバー４２とを備える。また、つゆ受け枠本体４１及びつゆ受け枠カバー４２はそれぞれ、開口部を有するとともに、本体ケースの外枠に嵌め込まれるよう側部外周及び後方外周が本体ケースの上部開口と同一形状に形成されており、前方外周に直線状の前端部４１ａ，４２ａが形成されている。
【００２７】
つゆ受け枠本体４１は、アルミダイキャスト製の成形体からなり、つゆ受け枠本体４１の前端部４１ａの中央には、螺子孔４１１が形成されている。この螺子孔４１１には、後述する係合体Ｓが螺子Ｐにより締結されて固定される。また、図２及び図３に示すように、つゆ受け枠本体４１の前端部４１ａの外周は、所定縦幅の周縁部４１６を有しており、該周縁部４１６には、螺子孔４１１の前方に隣接して、段差部４２１が形成されている。この段差部４２１の側壁４２２，４２２間の幅は、係合体Ｓを位置決め状態で固定するために係合体Ｓの固定部Ｓａの幅と略同幅（例えば、１．０ｍｍ以下程度の幅差）に形成されているとともに、段差部４２１の縦壁４２３は、係合体Ｓの固定部Ｓａに設けられた突設部Ｓｃが係合する高さに形成されている。さらに、つゆ受け枠本体４１の前端部４１ａの左右両側部には、後方つゆ受け枠４と前方つゆ受け枠５とを締結するために、前端部４１ａから前方に延在し、螺子孔を有する突出片４３１，４３１が形成されている。また、突出片４３１，４３１近傍には、つゆ受け枠本体４１を炊飯器本体１に固定するために、前端部４１ａから下方に延在し、螺子孔を有する垂下片４４１，４４１が形成されている。
【００２８】
つゆ受け枠本体４１を被覆するつゆ受け枠カバー４２は、ステンレス製の成形体からなり、その外周及び内周がつゆ受け枠本体４１の外周及び内周に外嵌されて、一体的に結合されている。また、つゆ受け枠本体４１の螺子孔４１１に対応する箇所には、つゆ受け枠カバー４２の上面に配設される係合体Ｓの固定部Ｓａの底面に螺子Ｐを螺入するために、前方に向かって開放するカバー切り欠き部４５１が形成されている。
【００２９】
図３に示すように、つゆ受け枠本体４１の前端部４１ａに設けられる係合体Ｓは、前方に幅広に形成された略五角形状の固定部Ｓａと、五角形の頂点から後方に延在する幅狭の突条に形成された後端部Ｓｂとを有している。また、固定部Ｓａの下方前端部には、下方に突出する突設部Ｓｃが形成されている。この突設部Ｓｃは、既述したつゆ受け枠本体４１の前端部４１ａに設けられた段差部４２１の縦壁４２３と係合する。さらに、図６に示すように、固定部Ｓａの中央部には、螺子Ｐによって係合体Ｓをつゆ受け枠本体４１に固定するための螺子孔Ｓｈが穿設されている。
【００３０】
本実施の形態において、係合体Ｓには、内鍋９に設けられたリブ部９２が当接しても、損傷が生じないよう、黄銅にめっき処理を施した高硬度のものが用いられている。また、図６に示すように、係合体Ｓは、前方つゆ受け枠５と後方つゆ受け枠４とが炊飯器本体１に固定され、内鍋９が開口部８に収容されたときに、後端部Ｓｂが既述したリブ部９２と係合するとともに、固定部Ｓａが、前後方向で内鍋９のリブ部９２の外方張り出し位置よりも前方に位置するように、後方つゆ受け枠４の前端部４ａに設けられている。これにより、内鍋９が周方向に回転すると、係合体Ｓの後端部Ｓｂのみがリブ部９２と係合する。従って、内鍋９を開口部８に収容する際、リブ部９２が幅広の固定部Ｓａに乗り上がり難い。さらに、図３に示すように、後端部Ｓｂの上面縁辺部は、Ｒ面に形成されている。従って、内鍋９を開口部８に収容する際、内鍋９のリブ部９２が幅狭の後端部Ｓｂに乗り上げても、リブ部９２の縁辺部もＲ面に形成されているから、リブ部９２が後端部Ｓｂの上からずれやすくなり、内鍋９が不安定な状態となることを防止できる。
【００３１】
なお、後端部Ｓｂの底面と、突設部Ｓｃを除く固定部Ｓａの底面とは、面一に形成されているとともに、これらの底面はつゆ受け枠カバー４２のカバー切り欠き部４５１を覆う大きさに形成されている。これにより、後方つゆ受け枠４の前端部４ａの上方に配置される前方つゆ受け枠５の切り欠き部５２（図４参照）からつゆ受け枠カバー４２の上面に水等が滴下してきても、係合体Ｓの下面に水等が入り難くなり、炊飯器本体１の内部への水等の浸入を抑えることができる。
【００３２】
図１及び図４に示すように、本実施の形態の前方つゆ受け枠５は、本体ケースの外枠に嵌め込まれるよう前方側に本体ケースの上部前端と同一形状の円弧部５ａを有するとともに、後方側に直線状の後端部５ｂを有する、半円弧状に成形されており、ポリブチレンテレフタレート樹脂とＡＢＳ樹脂との混合樹脂製の成形体からなる。
【００３３】
また、前方つゆ受け枠５は、前方側に外周縁から下方に所定縦幅、延在する周壁５１を有しているが、後方つゆ受け枠４と対向する後方側には周壁が形成されておらず、後方及び下方に開放する内部空間５０を有している。さらに、前方つゆ受け枠５の中央部には、蓋体２の係止突起と係合する被係止部１２が内挿されるよう上方に膨出する膨出部５６が設けられている
【００３４】
図４及び図５に示すように、前方つゆ受け枠５の後端部５ｂの中央部には、後方に向かって開放する切り欠き部５２が形成されている。また、前方つゆ受け枠５の前方外周の下面には、既述した後方つゆ受け枠４の前端部４ａから前方に延在する突出片４３１と締結するための螺子を螺入する螺子孔５３が形成されている。
【００３５】
本実施の形態では、前方つゆ受け枠５と後方つゆ受け枠４とは、これらが本体ケースの上部に取り付けられる際、前後方向で後方つゆ受け枠４の前端部４ａが、前方つゆ受け枠５の後端部５ｂと重なり、前方つゆ受け枠５の下方に張り出すように配置される。換言すれば、平面視で後方つゆ受け枠４の前端部４ａが前方つゆ受け枠５の後端部５ｂで覆われた態様となり、前方つゆ受け枠５の後端部５ｂの下方に後方つゆ受け枠４の前端部４ａが配置される。なお、このとき、対向するつゆ受け枠カバー４２の前端部４２ａの上面と、前方つゆ受け枠５の後端部５ｂの上面とは、略面一になるように配置される。
【００３６】
また、後方つゆ受け枠４の前端部４ａに設けられた係合体Ｓは、前端部４ａ上面の中央部に形成されており、前方つゆ受け枠５の切り欠き部５２は後端部５ｂの中央部に形成されているから、後方つゆ受け枠４の前端部４ａ上に前方つゆ受け枠５の後端部５ｂが重ねられたとき、後方つゆ受け枠４の前端部４ａに固定された係合体Ｓは、下方から切り欠き部５２を上方に貫通する態様となる。従って、炊飯器本体１の上部におけるつゆ受け枠カバー４２と前方つゆ受け枠５との境界近傍に、高硬度の係合体Ｓの上方部分が突出する。既述したように、この突出した係合体Ｓの後端部Ｓｂは、内鍋９のリブ部９２と同一円周上に位置するから、内鍋９が回転すると、リブ部９２が係合体Ｓの後端部Ｓｂに当接し、回転が阻止されて、内鍋９を回り止め状態とすることができる。
【００３７】
以上のように、本実施の形態の炊飯器では、炊飯器本体１の上部前方が樹脂製の前方つゆ受け枠５で形成されているが、内鍋９を回り止め状態とするための係合体Ｓは、後方つゆ受け枠４の前端部４ａに設けられているから、係合体Ｓに金属やセラミックなどからなる高硬度のものを用いることができる。また、係合体Ｓが設けられる後方つゆ受け枠４は、内鍋９のリブ部９２が係合体Ｓに衝突してもぐらつかない状態で炊飯器本体１に固定される。これにより、樹脂製の前方つゆ受け枠５と内鍋９との接触を防ぎながら、リブ部９２と係合体Ｓとを係合させて、内鍋９を回り止め状態とすることができる。しかも、係合体Ｓは、一定の縦幅を有し、高強度のつゆ受け枠本体４１の周縁部４１６に形成された段差部４２１に固定されているから、硬い内鍋９が係合体Ｓに衝突しても、薄い金属板からなるつゆ受け枠カバー４２の損傷も抑えることができる。
【００３８】
さらに、つゆ受け枠本体４１の前端部４１ａには段差部４２１が形成されているから、前端部４１ａに係合体Ｓを容易に位置決め状態で固定することができる。また、仮に螺子Ｐ等の結合部材が係合体Ｓから外れても、段差部４２１によって係合体Ｓの動きが抑えられるから、樹脂製の前方つゆ受け枠５の損傷を防ぐことができる。
【００３９】
（その他の実施の形態）
（１）上記実施の形態では、係合体はつゆ受け枠本体に螺子によって締結されているが、係合体はつゆ受け枠本体と一体で成形されてもよい。ただし、つゆ受け枠本体と別体の係合体を使用すれば、金属製のつゆ受け枠本体を用いた場合に、外部に露出している係合体からの腐食の進行を抑えることができる。
【００４０】
（２）上記実施の形態では、係合体の固定部は略五角形状に形成されているが、三角形や四角形などの他の形状であってもよい。
【００４１】
（３）上記実施の形態では、前方つゆ受け枠の後端部に設けられる切り欠き部は、後方に開放する態様で設けられているが、後端部を穿孔する態様で設けられてもよい。
【符号の説明】
【００４２】
１  炊飯器本体
２  蓋体
４  後方つゆ受け枠
４１  つゆ受け枠本体
４２  つゆ受け枠カバー
５  前方つゆ受け枠
５２  切り欠き部
８  開口部
９  内鍋
９１  上縁フランジ部
９２  リブ部
Ｓ  係合体
【図１】
0005844188.tif 000002
【図２】
0005844188.tif 000003
【図３】
0005844188.tif 000004
【図４】
0005844188.tif 000005
【図５】
0005844188.tif 000006
【図６】
0005844188.tif 000007